(57)【要約】【課題】従来のランドセルよりも、スマート且つスタイリッシュなデザインの錠前装置を備えるランドセルを提供する。【解決手段】開口部を有する箱状のランドセル本体２（大収納部２ａ）と、一端部がランドセル本体２に取り付けられランドセル本体２の開口部を覆う蓋部材３と、ランドセル本体２に取り付けられ蓋部材３がランドセル本体２の開口部を覆った状態において蓋部材３の他端部（蓋延長部材５）に取り付けられた係止金具６をランドセル本体２に係止保持する錠前装置１０とを備える。そして、錠前装置１０が、錠前装置１０の裏面の少なくとも一部をランドセル本体２の底面部に埋め込んだ状態においてランドセル本体２に取り付けられて構成される。【選択図】図２
2015195965.tif 000002
【特許請求の範囲】
【請求項１】
開口部を有する箱状のランドセル本体と、
一端部が前記ランドセル本体に取り付けられ、前記ランドセル本体の開口部を覆う蓋部材と、
前記ランドセル本体に取り付けられ、前記蓋部材が前記ランドセル本体の開口部を覆った状態において前記蓋部材の他端部に取り付けられた係止金具を前記ランドセル本体に係止保持する錠前装置とを備えるランドセルにおいて、
前記錠前装置が、前記錠前装置の裏面の少なくとも一部を前記ランドセル本体の底面部に埋め込んだ状態において前記ランドセル本体に取り付けられることを特徴とするランドセル。
【請求項２】
前記ランドセル本体の底面部に形成された取付孔を有し、
前記錠前装置は、前記錠前装置の裏面の少なくとも一部を前記取付孔に挿入させて前記ランドセル本体に取り付けられることを特徴とする請求項１に記載のランドセル。
【請求項３】
前記ランドセル本体の内部底面に設けられ、前記取付孔および前記錠前装置の前記ランドセル本体内に露出する部分を覆う底板部材を備えることを特徴とする請求項２に記載のランドセル。
【請求項４】
前記錠前装置の表面に設けられた取り替え可能な装飾板部材を備えることを特徴とする請求項１〜３のいずれかに記載のランドセル。
【発明の詳細な説明】
【技術分野】
【０００１】
本発明は、蓋部材に取り付けられた係止金具をランドセル本体に係止保持する錠前装置を備えるランドセルに関する。
【背景技術】
【０００２】
近年、ランドセルは、赤や黒の２色だけではなく、様々なカラーバリエーションのものや模様が施されたもの等、種々のランドセルが製造、販売されている。このようなランドセルでは、ランドセル本体や、かぶせと呼ばれる蓋部材において、上記のように様々なカラーや模様が施されている（例えば、特許文献１を参照）。
【先行技術文献】
【特許文献】
【０００３】
【特許文献１】特開２０１３‐１６５８８８号公報
【発明の概要】
【発明が解決しようとする課題】
【０００４】
上記のようにランドセル本体や蓋部材においては、様々なカラーや模様が施されている。一方、蓋部材に取り付けられた係止金具をランドセル本体の底面部に係止保持する錠前装置においては、デザイン的には従来からそれ程大きく変更されておらず、また色に関してもシルバー色の一色であった。従って、この錠前装置においても、ランドセル本体や蓋部材と同様に、スマート且つスタイリッシュなデザインへの変更が求められている。
【０００５】
本発明はこのような課題に鑑みてなされたものであり、従来のランドセルよりも、スマート且つスタイリッシュなデザインの錠前装置を備えるランドセルを提供することを目的とする。
【課題を解決するための手段】
【０００６】
上記目的を達成するため、本発明に係るランドセルは、開口部を有する箱状のランドセル本体と、一端部が前記ランドセル本体に取り付けられ、前記ランドセル本体の開口部を覆う蓋部材と、前記ランドセル本体に取り付けられ、前記蓋部材が前記ランドセル本体の開口部を覆った状態において前記蓋部材の他端部に取り付けられた係止金具を前記ランドセル本体に係止保持する錠前装置とを備える。そして、前記錠前装置が、前記錠前装置の裏面の少なくとも一部を前記ランドセル本体の底面部に埋め込んだ状態において前記ランドセル本体に取り付けられて構成される。
【０００７】
なお、上記構成のランドセルにおいて、前記ランドセル本体の底面部に形成された取付孔を有し、前記錠前装置は、前記錠前装置の裏面の少なくとも一部を前記取付孔に挿入させて前記ランドセル本体に取り付けられるように構成してもよい。
【０００８】
また、上記構成のランドセルにおいて、前記ランドセル本体の内部底面に設けられ、前記取付孔および前記錠前装置の前記ランドセル本体内に露出する部分を覆う底板部材（例えば、実施形態における内部プレート４０）を備えて構成されることが好ましい。
【０００９】
また、上記構成のランドセルにおいて、前記錠前装置の表面に設けられた取り替え可能な装飾板部材（例えば、実施形態における装飾プレート２０）を備えて構成されることが好ましい。
【発明の効果】
【００１０】
本発明に係るランドセルによれば、錠前装置が、錠前装置の裏面の少なくとも一部をランドセル本体の底面部に埋め込んだ状態においてランドセル本体に取り付けられて構成される。そのため、錠前装置がランドセル本体から外部に突出する部分の厚さを薄くすることができる。従って、従来のランドセルよりも、スマート且つスタイリッシュなデザインの錠前装置を備えたランドセルとすることができる。
【００１１】
なお、錠前装置を取り付けるためにランドセル本体に形成された取付孔および錠前装置のランドセル本体内に露出する部分を覆う底板部材を備える構成とすれば、例えば、錠前装置がランドセル本体の内部に突出する場合には、底板部材によりこの突出する部分を覆ってランドセル本体の内部底面を平坦にすることができ、使い勝手のよいランドセルとすることができる。
【００１２】
また、錠前装置の表面に設けられた取り替え可能な装飾板部材を備える構成とすれば、例えば、ランドセル本体や蓋部材のカラーや模様に合わせて錠前装置も装飾することができ、錠前装置においても様々なカラーや模様を施すことができる。
【図面の簡単な説明】
【００１３】
【図１】本発明に係るランドセルの底面図である。
【図２】本発明に係るランドセルの側面図である。
【図３】本発明に係るランドセルを構成する錠前装置を示す図であり、（ａ）は平面図、（ｂ）は側面図である。
【図４】上記錠前装置を示す図であり、（ａ）は底面図、（ｂ）は図３の矢印IVｂ‐IVｂにおける断面図である。
【図５】上記錠前装置に設けられるリンプ部材を示す図であり、（ａ）は平面図、（ｂ）は側面図である。
【図６】上記錠前装置をランドセル本体に取り付けるときの取り付け方を説明する説明図である。
【図７】上記錠前装置が取り付けられたランドセル本体の断面図である。
【図８】ランドセル本体の内部に設けられる内部プレートの斜視図である。
【図９】上記内部プレートを示す図であり、（ａ）は平面図、（ｂ）は図９（ａ）の矢印IXｂ‐IXｂにおける断面図である。
【発明を実施するための形態】
【００１４】
以下、図面を参照して本発明の実施形態について説明する。本発明の実施形態に係るランドセル１は、図１および図２に示すように、教科書等を収納するための箱状のランドセル本体２と、ランドセル本体２の上端部に取り付けられた蓋部材３（かぶせ）と、背中に背負う際に腕を通し肩へかける左右の肩ベルト４，４と、ランドセル本体２の底面部に取り付けられた錠前装置１０とを有して構成されている。
【００１５】
ランドセル本体２は、上部が開口した箱状の大収納部２ａ（大マチ）と、蓋部材３を開いた際に大収納部２ａの手前側に設けられ、大収納部２ａよりも小容量である上部が開口した箱状の小収納部２ｂ（小マチ）と、小収納部２ｂの手前側に設けられ、ファスナー（登録商標）により開閉式の前段ポケット２ｃとを有して構成されている。大収納部２ａの底面部には、錠前装置１０を取り付けるために、上下貫通した取付孔２ｈが形成されている。この取付孔２ｈは、錠前装置１０の後述する本体プレート１１の裏面から突出する機構収容部１１ｂの周壁部の外形形状に対応する形状になっている。
【００１６】
蓋部材３は、一端部がランドセル本体２の上端部に取り付けられ、大収納部２ａおよび小収納部２ｂの開口部を覆い、他端部がランドセル本体２の下部まで延びる平板状（可撓性を有する平板状）に形成されている。蓋部材３の他端部には、大収納部２ａの底面部まで延びるＶ字形状の蓋延長部材５（ベロ）が取り付けられている。蓋延長部材５の端部に係止金具６（サガリ）が取り付けられている。
【００１７】
左右の肩ベルト４，４はそれぞれ、ランドセル本体２の背板部２ｄ（背負ったときに背中が接する部分）の上端部に環状の上部金具（背かん）を介して取り付けられた上ベルト（図示せず）と、ランドセル本体２（大収納部２ａ）の底面部に環状の下部金具７，７（ダルマかん）を介して取り付けられた下ベルト４ｂ，４ｂとを有し、上ベルトおよび下ベルト４ｂ，４ｂが連結金具８，８により連結されるように構成されている。肩ベルト４，４は、上ベルトに形成された複数の調整穴に応じて連結金具８，８の連結位置をスライド移動させることができ、これにより肩ベルト４，４の長さを調整することができるようになっている。
【００１８】
錠前装置１０は、図３および図４にも示すように、矩形平板状の本体プレート１１と、本体プレート１１の中央部に回動自在に設けられた操作部材１２と、蓋延長部材５に取り付けられた係止金具６を操作部材１２に係合させたときに操作部材１２を係止保持位置に回動させる作動機構１５とを有して構成されている。
【００１９】
本体プレート１１の中央部には、表裏貫通した第１貫通孔１１ａおよび第２貫通孔１１ｄが形成されている。第１貫通孔１１ａにはＴ字形状の操作部材１２の脚部が挿入され、操作部材１２が本体プレート１１に対して回動自在に設けられている。第２貫通孔１１ｄには作動機構１５の後述する作動シャフト１５ａが設けられている。本体プレート１１の中央部の裏面には、第１および第２貫通孔１１ａ，１１ｄと連通した凹状の機構収容部１１ｂが形成されている。この機構収容部１１ｂ内に作動機構１５が設けられている。機構収容部１１ｂの周壁部は、本体プレート１１の裏面から突出するように形成されている。
【００２０】
作動機構１５は、第２貫通孔１１ｄに挿入され操作部材１２の近傍位置において本体プレート１１に対して表裏方向に移動自在に設けられた作動シャフト１５ａと、作動シャフト１５ａの先端部が本体プレート１１の表面から突出した状態となるように作動シャフト１５ａを付勢するシャフトばね１５ｂと、操作部材１２の脚部に取り付けられ作動シャフト１５ａと係合するローター１５ｃと、ローター１５ｃを操作部材１２の回動方向に付勢するローターばね１５ｄと、磁石１５ｅとを有して構成されている。作動機構１５は、蓋延長部材５に取り付けられた係止金具６が操作部材１２と係合するようにセットされると、この係止金具６により作動シャフト１５ａがシャフトばね１５ｂの付勢力に抗して裏面側に押される。そうすると、ローターばね１５ｂおよび磁石１５ｅの作用によりローター１５ｃを介して操作部材１２を係止保持位置（図１に示す位置）に回動させるように構成されている。作動機構１５の裏面側には、作動機構１５の各構成部材を覆う裏板部材１６が設けられている。
【００２１】
本体プレート１１の表面には、その表面略全域にわたる凹状のプレート収容凹部１１ｃが形成されている。このプレート収容凹部１１ｃに、アルミニウムによって形成された平板状の装飾プレート２０が挿入され、装飾プレート２０が本体プレート１１の表面に取り付けられるようになっている。装飾プレート２０の表面は、アルマイト処理加工によって所定の色や模様が施されている。装飾プレート２０は、他の色や模様などが施された他の装飾プレートに取り替え可能になっている。
【００２２】
本体プレート１１の表面左右にはそれぞれ、表裏貫通した取付孔１１ｈ，１１ｈが形成されている。なお、装飾プレート２０にも、この取付孔１１ｈ，１１ｈに対応した位置に、表裏貫通した取付孔（図示せず）が形成されており、さらに上記第１および第２貫通孔１１ａ，１１ｄに対応した位置にも表裏貫通した貫通孔（図示せず）が形成されている。これらの取付孔１１ｈ，１１ｈに、樹脂材料によって形成された円盤形状のリンプ部材３０，３０（図５を参照）の中央部から延びた脚部３０ａ，３０ａが挿入され、リンプ部材３０，３０が本体プレート１１（装飾プレート２０）の表面に取り付けられるようになっている。
【００２３】
このように構成された錠前装置１０は、図２、図６および図７に示すように、ランドセル本体２の大収納部２ａの底面部に取り付けられる。このとき、本体プレート１１の裏面から突出した機構収容部１１ｂの周壁部が大収納部２ａに形成された取付孔２ｈに挿入されて、本体プレート１１の裏面（機構収容部１１ｂ以外の部分）が大収納部２ａの底面に接した状態となる。すなわち、錠前装置１０の裏面側の一部（機構収容部１１ｂの周壁部）が大収納部２ａに埋め込まれた状態において、錠前装置１０が大収納部２ａの底面部に取り付けられるようになっている。そして、装飾プレート２０およびリンプ部材３０，３０が、上述のように本体プレート１１の表面に取り付けられる。そして、リンプ部材３０，３０の表面にそれぞれ、上記下部金具７，７が揺動可能に設けられた円柱形状の金具ベース部材９，９を配置し、金具ベース部材９，９に形成された挿入孔（図示せず）およびリンプ部材３０，３０に形成された挿入孔３０ｈ，３０ｈ（図３を参照）に取付ピン１８，１８を挿入することにより、錠前装置１０が大収納部２ａの底面部に取り付けられるようになっている。
【００２４】
大収納部２ａの内部底面には、平板形状の内部プレート４０が設けられている。図８および図９に示すように、内部プレート４０の裏面中央部には、錠前装置１０における本体プレート１１の機構収容部１１ｂの外形形状に対応する形状の挿入凹部４０ａが形成されている。上述のように錠前装置１０を大収納部２ａの底面部に取り付けると、本体プレート１１の機構収容部１１ｂの周壁部が大収納部２ａの内部底面から突出した状態となる。内部プレート４０は、大収納部２ａに形成された取付孔２ｈおよび錠前装置１０の大収納部２ａの内部に突出する部分（機構収容部１１ｂの周壁部）を覆い、この機構収容部１１ｂの周壁部が挿入凹部４０ａに挿入されるようになっている（図７を参照）。
【００２５】
内部プレート４０の表面左右にはそれぞれ、表裏貫通した係止孔４０ｂ，４０ｂが形成されている。この係止孔４０ｂ，４０ｂに、錠前装置１０を大収納部２ａの底面部に取り付けるときの取付ピン１８，１８の先端部が挿入され、取付ピン１８，１８の先端部が内部プレート４０に係止されることにより、錠前装置１０が大収納部２ａの底面部に固定されるようになっている。
【００２６】
以上のように構成されたランドセル１によれば、錠前装置１０が、錠前装置１０の裏面側の一部（機構収容部１１ｂの周壁部）をランドセル本体２（大収納部２ａ）の底面部に埋め込んだ状態においてランドセル本体２に取り付けられている。そのため、錠前装置１０がランドセル本体２から外部に突出する部分の厚さを薄くすることができる。従って、従来のランドセルよりも、スマート且つスタイリッシュなデザインの錠前装置を備えたランドセルとすることができる。
【００２７】
また、錠前装置１０を取り付けるためにランドセル本体２（大収納部２ａ）に形成された取付孔２ｈおよび錠前装置１０のランドセル本体２の内部に露出する部分（機構収容部１１ｂの周壁部）を覆う内部プレート４０が設けられているため、ランドセル本体２の内部底面を平坦にすることができ、使い勝手のよいランドセルとすることができる。なお、内部プレート４０の表面の凹凸を覆ってランドセル本体２の内部底面を完全に平坦にするための保護プレートを設けるようにしてもよい。
【００２８】
また、錠前装置１０の表面に取り替え可能な装飾プレート２０が設けられているため、例えば、ランドセル本体２や蓋部材３のカラーや模様に合わせて錠前装置１０も装飾することができ、錠前装置１０においても様々なカラーや模様を施すことができる。
【００２９】
また、錠前装置１０の本体プレート１１と金具ベース部材９，９の間に、樹脂製のリンプ部材３０，３０が設けられているため、金具ベース部材９，９が本体プレート１１に対してスムーズに回転することができる。そのため、ランドセル１を背負ったり降ろしたりするときに、肩ベルト４，４をスムーズに回転させることができる。また、リンプ部材３０，３０を設けることにより、本体プレート１１と金具ベース部材９，９とが擦れて劣化することを防ぐことができる。
【００３０】
なお、上記実施形態では、錠前装置１０の裏面側の一部（機構収容部１１ｂの周壁部）をランドセル本体２に埋め込んだ状態において錠前装置１０がランドセル本体２に取り付けられる構成について説明したが、錠前装置の裏面全体をランドセル本体に埋め込んだ状態において錠前装置がランドセル本体に取り付けられる構成としてもよい。また、上記実施形態では、錠前装置１０の機構収容部１１ｂの周壁部がランドセル本体２（大収納部２ａ）の内部底面から突出した状態となる構成について説明したが、機構収容部１１ｂの周壁部の端部がランドセル本体２の内部底面と一致する（機構収容部１１ｂの本体プレート１１から突出する部分の高さとランドセル本体２の底面部の厚さとが一致する）ように構成してもよい。または、機構収容部１１ｂの周壁部がランドセル本体２の内部底面から突出しない（機構収容部１１ｂの本体プレート１１から突出する部分の高さがランドセル本体２の底面部の厚さより小さくなる）ように構成してもよい。なおこのとき、ランドセル本体２の内部底面に形成された挿入凹部４０ａに挿入される凸部を内部プレート４０に形成するようにしてもよい。
【００３１】
また、上記実施形態では、装飾プレート２０がアルミニウムによって形成されると説明したが、装飾プレートは、他の材料により形成されてもよく、その場合には適宜の処理加工によって様々なカラーや模様が施されるようにしてもよい。
【符号の説明】
【００３２】
１    ランドセル
２    ランドセル本体
３    蓋部材
１０  錠前装置
１１  本体プレート
１１ｂ  機構収容部
２０  装飾プレート（装飾板部材）
４０  内部プレート（底板部材）
【図１】
2015195965.tif 000003
【図２】
2015195965.tif 000004
【図３】
2015195965.tif 000005
【図４】
2015195965.tif 000006
【図５】
2015195965.tif 000007
【図６】
2015195965.tif 000008
【図７】
2015195965.tif 000009
【図８】
2015195965.tif 000010
【図９】
2015195965.tif 000011
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
開口部を有する箱状のランドセル本体と、
一端部が前記ランドセル本体に取り付けられ、前記ランドセル本体の開口部を覆う蓋部材と、
前記ランドセル本体に取り付けられ、前記蓋部材が前記ランドセル本体の開口部を覆った状態において前記蓋部材の他端部に取り付けられた係止金具を前記ランドセル本体に係止保持する錠前装置とを備えるランドセルにおいて、
前記錠前装置は、平板状の本体部材と、前記本体部材の表面に回動自在に設けられた操作部材と、前記本体部材に設けられ、前記係止金具を係止保持する係止保持位置および係止保持を解除する解除位置との間で回動可能に前記操作部材を支持する作動機構とを備え、
前記作動機構の端部が前記本体部材の裏面から突出するように前記作動機構を前記本体部材に設け、前記本体部材の表面への前記作動機構の突出量を小さくするように構成され、
前記錠前装置は、前記本体部材の裏面から突出する前記作動機構の端部を前記ランドセル本体の底面部内に入り込ませて前記ランドセル本体に取り付けられることを特徴とするランドセル。
【請求項２】
前記本体部材の裏面に、前記作動機構の端部の周囲を囲む周壁部が形成され、
前記錠前装置は、前記本体部材の裏面から突出する前記作動機構の端部および前記周壁部を前記ランドセル本体の底面部内に入り込ませて前記ランドセル本体に取り付けられることを特徴とする請求項１に記載のランドセル。
【請求項３】
前記ランドセル本体の底面部に形成された取付孔を有し、
前記錠前装置は、前記本体部材の裏面から突出する前記作動機構の端部および前記周壁部を前記取付孔に入り込ませて前記ランドセル本体に取り付けられることを特徴とする請求項２に記載のランドセル。
【請求項４】
前記ランドセル本体の内部底面に設けられ、前記取付孔および前記ランドセル本体内に露出する前記作動機構の端部および前記周壁部を覆う底板部材を備えることを特徴とする請求項３に記載のランドセル。
【請求項５】
前記取付孔に挿入された前記作動機構の端部および前記周壁部が前記ランドセル本体内に突出しないように前記ランドセル本体の底面部の厚さが設定されていることを特徴とする請求項３に記載のランドセル。
【請求項６】
前記本体部材の表面に設けられた取り替え可能な装飾板部材を備えることを特徴とする請求項１〜５のいずれかに記載のランドセル。
【手続補正２】
【補正対象書類名】明細書
【補正対象項目名】０００６
【補正方法】変更
【補正の内容】
【０００６】
上記目的を達成するため、本発明に係るランドセルは、開口部を有する箱状のランドセル本体と、一端部が前記ランドセル本体に取り付けられ、前記ランドセル本体の開口部を覆う蓋部材と、前記ランドセル本体に取り付けられ、前記蓋部材が前記ランドセル本体の開口部を覆った状態において前記蓋部材の他端部に取り付けられた係止金具を前記ランドセル本体に係止保持する錠前装置とを備える。そして、前記錠前装置は、平板状の本体部材（例えば、実施形態における本体プレート１１）と、前記本体部材の表面に回動自在に設けられた操作部材と、前記本体部材に設けられ、前記係止金具を係止保持する係止保持位置および係止保持を解除する解除位置との間で回動可能に前記操作部材を支持する作動機構とを備え、前記作動機構の端部が前記本体部材の裏面から突出するように前記作動機構を前記本体部材に設け、前記本体部材の表面への前記作動機構の突出量を小さくするように構成され、前記錠前装置は、前記本体部材の裏面から突出する前記作動機構の端部を前記ランドセル本体の底面部内に入り込ませて前記ランドセル本体に取り付けられて構成される。
【手続補正３】
【補正対象書類名】明細書
【補正対象項目名】０００７
【補正方法】変更
【補正の内容】
【０００７】
なお、上記構成のランドセルにおいて、前記本体部材の裏面に前記作動機構の端部の周囲を囲む周壁部が形成され、前記錠前装置は、前記本体部材の裏面から突出する前記作動機構の端部および前記周壁部を前記ランドセル本体の底面部内に入り込ませて前記ランドセル本体に取り付けられるように構成してもよい。
また、上記構成のランドセルにおいて、前記ランドセル本体の底面部に形成された取付孔を有し、前記錠前装置は、前記本体部材の裏面から突出する前記作動機構の端部および前記周壁部を前記取付孔に入り込ませて前記ランドセル本体に取り付けられるように構成してもよい。
【手続補正４】
【補正対象書類名】明細書
【補正対象項目名】０００８
【補正方法】変更
【補正の内容】
【０００８】
また、上記構成のランドセルにおいて、前記ランドセル本体の内部底面に設けられ、前記取付孔および前記ランドセル本体内に露出する前記作動機構の端部および前記周壁部を覆う底板部材（例えば、実施形態における内部プレート４０）を備えて構成されることが好ましい。
また、上記構成のランドセルにおいて、前記取付孔に挿入された前記作動機構の端部および前記周壁部が前記ランドセル本体内に突出しないように前記ランドセル本体の底面部の厚さが設定されていることが好ましい。
【手続補正５】
【補正対象書類名】明細書
【補正対象項目名】０００９
【補正方法】変更
【補正の内容】
【０００９】
また、上記構成のランドセルにおいて、前記本体部材の表面に設けられた取り替え可能な装飾板部材（例えば、実施形態における装飾プレート２０）を備えて構成されることが好ましい。
【手続補正６】
【補正対象書類名】図面
【補正対象項目名】図７
【補正方法】変更
【補正の内容】
【図７】
2015195965.tif 000012